(57)【要約】【課題】超音波を発生させる平面形素子を利用して単発の音波を発生させ、発生させた音波を目的の部位に集束させることで、発生させたエネルギーを効率良く目的の部位に集束させる集束式音波治療装置を提供する。【解決手段】治療用探触子部２，高圧パルス発生回路１０および交流昇圧回路９を含む装置本体３，治療用探触子部２と装置本体３を接続する信号ケーブル４ならびに電源ケーブル７により構成されている。高圧パルス発生回路１０より所定時間内に１個〜数十個の高圧パルス信号を平面型素子に印加することにより平面形素子で発生する音波が、深度調整用ゲルパッド内に内蔵された音響レンズにより集束し、治療用探触子部２の接触部先端に集束し治療を行うことができる。【選択図】図３
0003216192.tif 000002
【実用新案登録請求の範囲】
【請求項１】
１〜複数個のパルス状電圧をセラミック素子またはピエゾ素子に印加し、該素子から発生するパルス状の音波を深度調整ゲルパッドに伝播させ焦点位置に集束させることにより、治療対象部分に前記パルス状の音波を到達させる集束式音波治療装置において、
前記セラミック素子またはピエゾ素子を円形の平面板形状に形成し、前記平面板の前面に、前記セラミック素子またはピエゾ素子により発生させた単発のパルス状の音波を集束させる音響レンズを組み込んだ円錐状，円錐台形状または台形状の深度調整用のゲルパッドであって、接触部を持つ探触子を配置して構成し、
前記セラミック素子またはピエゾ素子から発生するパルス状の音波を前記セラミック素子またはピエゾ素子の平面板の前面に対し略直角方向に放射させ前記音響レンズにより所定の位置に集束させることを特徴とする平面形素子を用いた集束式音波治療装置。
【請求項２】
前記探触子は、前記平面板の前面に装着可能に構成したことを特徴とする請求項１記載の平面形素子を用いた集束式音波治療装置。
【請求項３】
前記装着可能な探触子は、複数個有し、それぞれ組み込まれる音響レンズの集束させる焦点距離は異なるとともに各探触子は音波を加える対象の接触面と前記焦点距離との距離は異なり、
音波を加える対象の任意の深さに音波を集束させることを特徴とする請求項２記載の平面形素子を用いた集束式音波治療装置。
【請求項４】
前記装着可能な探触子は、音波を、前記平面板の前面から６０ｍｍ、９０ｍｍまたは１２０ｍｍの位置に集束することを特徴とする請求項３記載の平面形素子を用いた集束式音波治療装置。
【請求項５】
前記音響レンズは材質により音波の進行する速度が異なる２部材を組み合わせて構成され、部材間の接触面は所定の半径の球面または曲面を形成していることを特徴とする請求項１，２，３または４記載の平面形素子を用いた集束式音波治療装置。
【請求項６】
前記２部材は、エポキシ樹脂部材およびシリコンゴム部材であることを特徴とする請求項５記載の平面形素子を用いた集束式音波治療装置。
【請求項７】
前記セラミック素子またはピエゾ素子の背面側の一か所に電圧を印加する信号線を前面側の一か所にグランド線を接続するか、または該セラミック素子またはピエゾ素子の前面側の一か所に電圧を印加する信号線を背面側の一か所にグランド線を接続し、前記探触子に印加する単相のパルス状の電圧を発生するパルス電圧発生手段と、前記パルス電圧発生手段に電力を供給する電力供給手段と、を備え、
前記１〜複数個のパルス状電圧を前記パルス電圧発生手段で所定の時間内に前記セラミック素子またはピエゾ素子に印加し、治療対象に前記探触子の接触部を接触させて治療を行い、
前記パルス状電圧の幅は数μＳであり、
前記所定の時間内に発生させる１〜複数個のパルス状電圧は、１秒間に、１個〜数十個のパルス状電圧であり、該パルス状電圧のパルス幅と略同じ幅のパルス波形が深度調整用のゲルパッドを伝搬し治療対象に達することを特徴とする請求項１，２，３，４，５または６記載の平面形素子を用いた集束式音波治療装置。
【考案の詳細な説明】
【技術分野】
【０００１】
本考案は、平面形素子振動子にパルス波を印加し、治療対象となる部位にパルス波による音波を集束させて治療を行う平面形素子を用いた集束式音波治療装置に関する。
【背景技術】
【０００２】
本件考案者は、一体形凹面素子を使用した集束式音波治療装置を既に提案している（特許文献１）。図９は、その集束式音波治療装置の構成を示すものである。一体形凹面素子１０１は、セラミックで構成され、セラミックの凹面側（前面側）１１１は球面形状となっている。前面側１１１は音波透過ゲル１５１によって満たされている。接触部１０５は焦点の深度が調整できるように取り替えることが可能な構造になっている。一体形凹面素子１による音波の焦点Ｆ位置は接触部１０５の円錐形状の頂部に位置している。前面側１１１の対角線間の２つの端部それぞれと焦点Ｆが結ぶ線の角度は略９０°になっている。接触部１０５を治療対象部に押しつけた場合、押し付ける力加減で体表面と接触部５の頂部付近が凹み、焦点Ｆの位置が治療対象部の内部位置に入り込む構造になっている。
【０００３】
一体形凹面素子１０１の前面側１１１にはグランド線１４１が接続され、背面側１１６には＋信号線１４２がそれぞれ接続されている。＋信号線１４２とグランド線１４１との間には例えば５００Ｖ〜５ＫＶで３μＳ幅のパルスが所定時間（例えば、１秒）の間に１個または複数個、印加されるようになっている。
一体形凹面素子１０１の前面側および背面側のグランド線１４１と＋信号線１４２の接続点は一か所であるが、一体形凹面素子１０１の厚さが６ｍｍ程度であって、印加される電圧が高いため、前面側および背面側の間の各位置にかかる電位は中央部分でも周辺付近でもその差は大きくない。したがって、一体形凹面素子１０１の各位置は、印加電圧に対応する量だけ歪み、前面側１１１の各位置において前面側垂直方向に音波が発生する。これが焦点Ｆに集束することとなる。
【０００４】
印加する音波は、超音波ではなく単発のパルス波を発生させることにより周波数による減衰を排除し、治療部位に音波を効率良く届けることを可能にしている。
この集束式音波治療装置は、図９から明らかなように、凹面形素子の直径と凹面の形状によって治療できる焦点の深さが決定され、集束する音波の形状および強度が決まる構造である。そのため、この提案した集束式音波治療器は、後から焦点を調整するなどして焦点の深度や音波の強度を変更することはできない構造である。したがって、焦点Ｆの深度より深い部位へのより強力な集束音波を届けることを要請された場合、対応することは困難である。
【０００５】
また、治療対象の人体は厚みがあり、５ｃｍを超える深さにある臓器が多数存在し、集束式音波治療器はこれらの臓器に対する治療のアプローチも必要となってくる。
深い部位にある臓器の治療には深い焦点深度の音波治療器が必要であり、焦点深度が深くなると音波の減衰などで、より強い集束音波を発生させなければならない。
凹面形素子の集束式音波治療装置で焦点深度を深くするには、集束角度を鋭角にするとともに、音波強度を増加させるため、素子の発振面積を大きくし、印加するパルス電圧を上げる必要がある。しかし、一体形凹面素子は曲面の反射面を有することから、その製造が難しく直径１００ｍｍを超える素子の大量生産は困難である。実際には一体形凹面素子の焦点深度は５ｃｍが限界となっている。
【０００６】
なお、凹面型素子の外形を変えることなく集束角度を変えることも考えられるが、焦点深度を深くすると集束音波が弱くなってしまう。また、印加するパルス電圧を上げることも考えられるが、素子の持つ耐電圧を超えると破損するためこれも限界がある。
【先行技術文献】
【特許文献】
【０００７】
【特許文献１】特許第５５５７８００号公報
【考案の概要】
【考案が解決しようとする課題】
【０００８】
このように従来の凹面型素子では、治療できる深さや照射できる音波の強度に限界があり、体内の５ｃｍを超える深さの臓器や部位に対して治療を行うことは困難である。
本考案は、平面形素子を利用することで、より大きな直径の平面形素子と音響レンズを組み合わせることにより、深い部位など、あらゆる臓器を治療できるようにするものである。すなわち、平面形素子の直径を大きくし、より強い音波を発生させることで、深い部位にある臓器や骨などに囲まれた臓器のように大きな減衰が想定される臓器に対しても強い音波を集束させることを可能とする。
【０００９】
本考案は前述したような状況に鑑みなしたもので、その目的は、超音波を発生させる平面形素子を利用して単発の音波を発生させ、発生させた音波を音響レンズを利用して５ｃｍ以上の部位に集束させる構造を有することにより効率的に音波エネルギーを集中させることができる平面形素子を用いた集束式音波治療装置を提供することにある。
【課題を解決するための手段】
【００１０】
前記目的を達成するために、本考案の請求項１は、１〜複数個のパルス状電圧をセラミック素子またはピエゾ素子に印加し、該素子から発生するパルス状の音波を深度調整ゲルパッドに伝播させ焦点位置に集束させることにより、治療対象部分に前記パルス状の音波を到達させる集束式音波治療装置において、前記セラミック素子またはピエゾ素子を円形の平面板形状に形成し、前記平面板の前面に、前記セラミック素子またはピエゾ素子により発生させた単発のパルス状の音波を集束させる音響レンズを組み込んだ円錐状，円錐台形状または台形状の深度調整用のゲルパッドであって、接触部を持つ探触子を配置して構成し、前記セラミック素子またはピエゾ素子から発生するパルス状の音波を前記セラミック素子またはピエゾ素子の平面板の前面に対し略直角方向に放射させ前記音響レンズにより所定の位置に集束させることを特徴とする。
本考案の請求項２は、請求項１記載の考案において、前記探触子は、前記平面板の前面に装着可能に構成したことを特徴とする。
本考案の請求項３は、請求項２記載の考案において、前記装着可能な探触子は、複数個有し、それぞれ組み込まれる音響レンズの集束させる焦点距離は異なるとともに各探触子は音波を加える対象の接触面と前記焦点距離との距離は異なり、音波を加える対象の任意の深さに音波を集束させることを特徴とする。
本考案の請求項４は、請求項３記載の考案において、前記装着可能な探触子は、音波を、前記平面板の前面から６０ｍｍ、９０ｍｍまたは１２０ｍｍの位置に集束することを特徴とする。
本考案の請求項５は、請求項１，２，３または４記載の発明において、前記音響レンズは材質により音波の進行する速度が異なる２部材を組み合わせて構成され、部材間の接触面は所定の半径の球面または曲面を形成していることを特徴とする。
本考案の請求項６は、請求項５記載の発明において、前記２部材は、エポキシ樹脂部材およびシリコンゴム部材であることを特徴とする。
本考案の請求項７は、請求項１，２，３，４，５または６記載の考案において、前記セラミック素子またはピエゾ素子の背面側の一か所に電圧を印加する信号線を前面側の一か所にグランド線を接続するか、または該セラミック素子またはピエゾ素子の前面側の一か所に電圧を印加する信号線を背面側の一か所にグランド線を接続し、前記探触子に印加する単相のパルス状の電圧を発生するパルス電圧発生手段と、前記パルス電圧発生手段に電力を供給する電力供給手段と、を備え、前記１〜複数個のパルス状電圧を前記パルス電圧発生手段で所定の時間内に前記セラミック素子またはピエゾ素子に印加し、治療対象に前記探触子の接触部を接触させて治療を行い、前記パルス状電圧の幅は数μＳであり、前記所定の時間内に発生させる１〜複数個のパルス状電圧は、１秒間に、１個〜数十個のパルス状電圧であり、該パルス状電圧のパルス幅と略同じ幅のパルス波形が深度調整用のゲルパッドを伝搬し治療対象に達することを特徴とする。
【考案の効果】
【００１１】
前述した構成により、以下に示すような利点を有する。
本考案は、平面形の素子と音響レンズを組み合わせて、より深い部位に対して音波の強度を強くして治療することが可能となる。平面形素子は製造方法が比較的容易で、直径１００ｍｍを超える大きさの素子の量産が可能であり、安価に製造することができる。なお、直径１００ｍｍの凹面型素子を作ることもできるが、年間に製造できる個数は限られ、凹面型素子の単価は高くなる。
素子の直径を大きくし、素子の発信する面積を大きくすることにより発生する音波が強くなり、印加するパルス電圧が同じであっても、より大きな音波を発生させることが可能となる。強力な音波を発生させることにより、集束角度を鋭角にして焦点深度を深くしても、焦点に強力な音波を届けることができる。
平面形素子で発生させた音波は、音響レンズを組み込んだ円錐状又は円錐台形状又は台形状の深度調整用ゲルパッドで集束させ、深度調整用ゲルパッドの種類を多数用意することにより、治療対象によって深度や音波の強度を容易に選択することが可能になる。
【図面の簡単な説明】
【００１２】
【図１】本考案による平面形素子を用いた集束式音波治療装置の探触子付近の基本的構成を説明するための図である。
【図２Ａ】本考案による平面形素子を用いた集束式音波治療装置に用いる音響レンズの音波集束原理を説明するための概念図である。
【図２Ｂ】集束式音波治療装置に用いる音響レンズの性能を測定する模型を示す図である。
【図２Ｃ】図２Ｂの模型で音波の集束形態を示すグラフを説明するための図である。
【図２Ｄ】図２Ｂの模型における伝搬距離と振幅の関係を示すグラフの概念図である。
【図３】本考案による平面形素子を用いた集束式音波治療装置の実施の形態を示す概略図である。
【図４】平面形素子に印加されるパルス電圧と発生する音波の波形の関係を示す波形図である。
【図５】図３の装置本体の外観の一例を示す図である。
【図６】本考案による平面形素子を用いた集束式音波治療装置の他の実施の形態を示す図で、簡易形集束式音波治療機の例を示す図である。
【図７】平面形素子を用いた集束式音波治療装置の探触子部の詳細を示す図である。
【図８】交換可能な、音響レンズ入りの深度調整ゲルパッドの一例を示す図である。
【図９】従来の集束式音波治療装置の構成を説明するための図である。
【考案を実施するための形態】
【００１３】
以下、図面を参照して本考案の実施の形態を詳しく説明する。
図１は、本考案による平面形素子を用いた集束式音波治療装置の探触子付近の基本的構成を説明するための図であり、（ａ）は探触子部の断面図、（ｂ）は平面形素子の正面図である。
平面形素子１は、例えばセラミックで構成され、セラミック前面側１１には音響レンズ４３が組み込まれた、音波透過ゲル５１により形成されたゲルパッドが配置されている。接触部５を前面に有するゲルパッドは焦点の深度が調整できるように取り替えることが可能な構造になっている。平面形素子１から出力された音波は、ゲルパッド内部にある音響レンズ４３によって焦点Ｆに集束する。接触部５を治療対象部に押しつけた場合、押し付ける力加減で体表面と接触部５の頂部付近が凹み、焦点Ｆの位置が治療対象部の内部位置に入り込む。
【００１４】
平面形素子１の前面側１１にはグランド線４１が接続され、背面側１６には＋信号線４２がそれぞれ接続されている。＋信号線４２とグランド線４１との間には例えば５００Ｖ〜５ＫＶで３μＳ幅のパルスが所定時間（例えば、１秒）の間に１個または複数個、印加されるようになっている。
この平面形素子１の前面および背面は全面が銀電極で覆われ、グランド線４１と＋信号線４２の接続点は一か所であるが、平面形素子１の厚さが６ｍｍ程度であって、印加される電圧が高いため、前面側および背面側の間の各位置にかかる電位は中央部分でも周辺付近でもその差は大きくない。したがって、平面形素子１の各位置は、印加電圧に対応する量だけ歪み、前面側１１の各位置において前面側垂直方向に音波が発生する。これは音響レンズ４３により焦点Ｆに集束することとなる。
【００１５】
図２Ａは、本考案による平面形素子を用いた集束式音波治療装置に用いる音響レンズの音波集束原理を説明するための概念図である。
平面形素子１の前面側から出る各音波群は進む方向に向けた実線で示してある。例えば、平面形素子１の地点１ａから出射した音波は半円を描くように広がり進行する。平面形素子１の各地点１ａからの音波は進行しながら合成されていくことになる。音響レンズ４３は屈折レンズを物理的に表現したと同様な凸レンズの表記で示されている。すなわち、音波の進行に対し音響レンズ４３内では、音波を集束する方向になるような作用が与えられる。音響レンズ４３は、図１で示すように音波の進行速度が異なる樹脂素材（シリコンゴム４６とエポキシ樹脂４５）を球面や曲面で接触させて構成され、組み合わせた樹脂素材により光の屈折作用と同様な効果が与えられる。これら樹脂素材間の音波の速度差および接触球面の曲率により任意の位置に音波の焦点Ｆを形成することができる。
【００１６】
図２Ｂは、集束式音波治療装置に用いる音響レンズの性能を測定する模型を示す図である。この模型は振動子幅が１００ｍｍで、音速が２，６００ｍ／ｓのエポシキ樹脂４５と音速が１，０００ｍ／ｓのシリコンゴム４６との間の曲率半径は１０８ｍｍである。シリコンゴム４６の音波が出射する側は水４７の媒体である。
このような模型の音波の変位の状態を図２Ｃに示す。上側のグラフは音波が音響レンズ通過直後を示すものである。グラフ中の音波の存在は鎖線で示されている。音響レンズ通過直後の音波は、Ｙ軸４０ｍｍ，Ｘ軸１０ｍｍ，１００ｍｍ付近の音響レンズの周辺部分に集中していることが示されている。下側のグラフは音波が焦点距離付近に達した状態を示すものである。Ｙ軸１２０ｍｍ，Ｘ軸５０ｍｍの付近で音波が集中し、この部分が焦点距離Ｆ点となっている。
図２Ｄは、図２Ｂの模型における伝搬距離と振幅の関係を示すグラフである。焦点距離１０１ｍｍの音響レンズにおいて伝搬距離１００ｍｍ付近が最大の音波振幅（０，２５）となっており、その位置が焦点であることが分かる。
【００１７】
図３は、本考案による平面形素子を用いた集束式音波治療装置の実施の形態を示す概略図である。
治療用探触子部２，高圧パルス発生回路１０および交流昇圧回路９を含む装置本体３，治療用探触子部２と装置本体３を接続する信号ケーブル４ならびに電源ケーブル７により構成されている。治療用探触子部２は、平面形素子１，音響レンズ４３，接触部５，グランド線４１および＋信号線４２の接続構造を含む。交流昇圧回路９は電源ケーブル７より入力するＡＣ１００Ｖをトランスやインバータにより昇圧する回路である。
【００１８】
高圧パルス発生回路１０は、交流昇圧回路９によって昇圧された電圧を１秒間に１個または複数個（例えば、２〜４０個）のパルスを発生させるもので、パルス幅は例えば３μＳである。出力される電圧値は５００Ｖ〜５ＫＶであり、これらは電圧調整ノブ１４により調整することができる。また、発生するパルスの数も回数調整ノブ１３で調整可能である。図５に装置本体３の外観図が示されている。図５において、調整されたパルス繰り返し回数および調整された電圧値は表示部１５に表示される。音波エネルギーの強さは平面が素子１にかける電圧の強さ（回数も含め）により調整することができる。
集束式音波治療装置を使用する場合、装置本体３の電源スイッチ１２をオンし、必要に応じ発生パルスの数および印加電圧値を調整した後に、治療用探触子部２を治療対象部に当てることとなる。
【００１９】
図４は、平面形素子に印加されるパルス電圧と発生する音波の波形の関係を示す波形図である。
平面形素子１に３μＳ幅で４ＫＶの１個のパルス１Ａが印加されると、平面形素子１には、所定時間遅れて音波１Ａ’が発生する。次の１秒も同じような一個のパルス１Ｂが発生して対応の音波１Ｂ’が発生し、このような繰り返しのパルス発生となる。一点鎖線で示したパルスｎＡは２個以上発生させる場合のパルスであり、同様に音波ｎＡ’が発生し、同様にして繰り返して発生する。このように１秒間に１〜数十回のパルスを印加して音波を発生する構成であるので、焦点位置へ集束される音波エネルギーは連続波に比較し、制御しやすく、小形で簡易な装置を作ることができる。
【００２０】
図６は、本考案による平面形素子を用いた集束式音波治療装置の他の実施の形態を示す図で、アンチエイジング用に適したものである。
この実施形態の図３の集束式音波治療装置と異なる点は、治療用探触子部筐体２０に高圧パルス発生回路２４，交流昇圧回路２３を組み込み、治療用探触子部筐体２０に直接電源ケーブル２６が接続されていることである。高圧パルス発生回路２４の信号ケーブル２５は治療用探触子２１に接続されている。２０１の位置に、電源スイッチ，パルス繰り返し回数調整ノブおよび印加信号電圧調整ノブが設けられている。
【００２１】
図７は、平面形素子を用いた集束式音波治療装置の探触子部の詳細を示す図である。
治療用探触子部筐体２０は、平面形素子３１を収容する探触子収容部３７に一体に把持部３６が形成されて構成されている。把持部３６は、内部に高圧パルス発生回路２４および交流昇圧回路２３が収容され、家庭用コンセントに接続する電源ケーブル２６が接続されている。
簡易形集束式音波治療機の見た目の形状は家庭内で使用されるマッサージ器とほとんど変わらない。
【００２２】
高圧パルス発生回路２４からのグランド線２４１およびグランド線３５は端子４０にハンダ付け接続され、グランド線３５は振動子ホルダ３２に形成されている孔を通って平面形素子３１の前面側の端部に接続されている。高圧パルス発生回路２４からの＋信号線３４は同じく振動子ホルダ３２に形成されている孔を通って平面形素子３１の背面側に接続されている。
【００２３】
探触子収容部３７の上部には音響レンズ４３を内蔵した円錐台形状のゲルパッド２７が設けられ、その頂部付近が音響レンズ４３の焦点Ｆの位置となる。平面形素子３１は探触子収容部３７内に固定された振動ホルダ３２に支持されている。平面形素子３１の前面側は、ゲルパッド２７の音響レンズ４３側に対面している。深度調整ゲルパッド２７はシート２８の上に配置されている。深度調整ゲルパッド２７は深度調整ゲルパッド押さえ３３がフランジ部２７１を押さえることにより探触子収容部３７に取り付けられている。深度調整ゲルパッド押さえ３３は、探触子収容部３７に着脱可能に構成され、深度調整ゲルパッド２７の交換が可能である。
【００２４】
図８は、交換可能な、音響レンズ入りの深度調整ゲルパッドの一例を示す図である。交換できる深度調整ゲルパッドは複数種類用意されている。
（ａ）は、焦点距離Ｆが深度調整ゲルパッド下面から１２０ｍｍの位置にあり、深度調整ゲルパッドの音響レンズの上面から１００ｍｍの位置にあるものである。したがって、深度調整ゲルパッドの上面を例えば、治療対象である体の皮膚面に当てれば、１００ｍｍの深さの部位に音波を集中させることができる。これは比較的深い部位を治療することが可能になる。
（ｂ）は、焦点距離Ｆが深度調整ゲルパッド下面から９０ｍｍの位置にあり、深度調整ゲルパッドの音響レンズの上面から７０ｍｍの位置にあるものである。したがって、深度調整ゲルパッドの上面を例えば、治療対象である体の皮膚面に当てれば、７０ｍｍの深さの部位に音波を集中させることができる。
また、（ｃ）は、焦点距離Ｆが深度調整ゲルパッド下面から６０ｍｍの位置にあり、深度調整ゲルパッドの音響レンズの上面から４０ｍｍの位置にあるものである。したがって、深度調整ゲルパッドの上面を例えば、治療対象である体の皮膚面に当てれば、４０ｍｍの深さの部位に音波を集中させることができる。
このように簡単に深度調整ゲルパッドを装着できる構造であるので、治療対象がどんな深さでも容易に対応できる。
【００２５】
以上の実施の形態は、種々の変形を施すことが可能である。音響レンズが組み込まれている深度調整ゲルパッドは円錐台形状の例を示したが、台形状や円錐状にすることも可能である。また、音響レンズの構成として、シリコンゴムとエポシキ樹脂の組み合わせの例を示したが、音速速度が異なる他の樹脂素材を用いることができる。また、平面形素子の前面側および背面側の接続点をそれぞれ１つの例について説明したが、複数個所接続しても治療器としての性能が変わることはない。さらに、前面側および背面側の一部に導電パターンを形成し、導電パターンに接続する構成にすることもできる。
【００２６】
さらには集束式音波治療装置の形状を図３や図７とする例を説明したが、装置の形状はこれらに限るものではなく、他の形状であってもよい。一体形平面形素子としてセラミックの例を上げたが、ピエゾ素子など印加電圧により歪みを起こし振動する部材を用いることもできる。パルス幅として３μＳの例を説明したが、３μＳの幅に限定するものではなく、さらに複数のパルスを発生する場合のパルス間の時間間隔も自由に設定することができる。
【産業上の利用可能性】
【００２７】
治療部位に音波をあてて治療を行う平面形素子を用いた集束式音波治療装置である。
【符号の説明】
【００２８】
１，３１    平面形素子
２    治療用探触子部
３    装置本体
４，２５    信号ケーブル
５    接触部
７，２６    電源ケーブル
９，２３    交流昇圧回路
１１    前面側
１０，２４    高圧パルス発生回路
１２    電源スイッチ
１３    パルス繰り返し回数調整ノブ
１４    印加信号電圧調整ノブ
１５    表示部
２０    治療用探触子部筐体
２１    治療用探触子
２７    深度調整ゲルパッド
２８    シート
３０    エポキシ樹脂
３２    振動子ホルダ
３４    ＋信号線
３５    グランド線
３６    把持部
４１    グランド線
４２    信号線
４３    音響レンズ
４４    曲率半径
４５    エポシキ樹脂
４６    シリコンゴム
４７    水
５１    音波透過ゲル
【図１】
0003216192.tif 000003
【図２Ａ】
0003216192.tif 000004
【図２Ｂ】
0003216192.tif 000005
【図２Ｃ】
0003216192.tif 000006
【図２Ｄ】
0003216192.tif 000007
【図３】
0003216192.tif 000008
【図４】
0003216192.tif 000009
【図５】
0003216192.tif 000010
【図６】
0003216192.tif 000011
【図７】
0003216192.tif 000012
【図８】
0003216192.tif 000013
【図９】
0003216192.tif 000014